(57)【特許請求の範囲】
【請求項１】
透液性表面シートと裏面シートとの間に吸収体が介在されるとともに、少なくとも排血口部に対応する領域の両側部にほぼ長手方向に沿って左右一対の圧搾溝が形成された吸収性物品において、
前記吸収体は、前記圧搾溝より両側の領域及び前記圧搾溝より後側の領域においてそれぞれ、吸収性物品の長手方向及び幅方向とは異なる２方向以上の方向に沿って複数のスリットが形成されるとともに、前記圧搾溝で挟まれた領域において、吸収性物品の長手方向に沿って複数のスリットが形成されていることを特徴とする吸収性物品。
【請求項２】
前記スリットは、スリット形成方向に沿ってスリット実線部と非スリット部とが交互に配置された破線状に形成されている請求項１記載の吸収性物品。
【請求項３】
前記圧搾溝で挟まれた領域に形成されるスリットは、スリット形成方向に沿ってスリット実線部と非スリット部とが交互に配置された破線状に形成されるとともに、吸収性物品の幅方向中央部及びその両側に間隔を空けて左右対となる部分に形成され、
前記スリット実線部の長さは、幅方向中央部に形成されたスリットに対して、幅方向外側に形成されたスリットの方が相対的に漸次短くなるように形成されている請求項１、２いずれかに記載の吸収性物品。
【請求項４】
前記圧搾溝で挟まれた領域に形成されるスリットは、スリット形成方向に沿ってスリット実線部と非スリット部とが交互に配置された破線状に形成されるとともに、吸収性物品の幅方向中央部及びその両側に間隔を空けて左右対となる部分に形成され、
前記非スリット部の長さは、幅方向中央部に形成されたスリットに対して、幅方向外側に形成されたスリットの方が相対的に漸次長くなるように形成されている請求項１〜３いずれかに記載の吸収性物品。
【請求項５】
前記圧搾溝で挟まれた領域に形成されるスリットは、隣接するスリット間の間隔が吸収性物品の幅方向中央に向かうほど相対的に小さくなるように形成されている請求項１〜４いずれかに記載の吸収性物品。
【請求項６】
前記吸収体は、前記圧搾溝より前側の領域において、吸収性物品の長手方向及び幅方向とは異なる２方向以上の方向に沿って複数のスリットが形成されている請求項１〜５いずれかに記載の吸収性物品。
【請求項７】
前記吸収体の長手方向端部において前記スリットが形成されない非形成領域が設けられている請求項１〜６いずれかに記載の吸収性物品。
【請求項８】
前記吸収体の上面及び／又は下面に親水性のセカンドシートが配設され、前記スリットは、前記吸収体及びセカンドシートに形成されている請求項１〜７いずれかに記載の吸収性物品。
【請求項９】
前記吸収体は、下層吸収体と、少なくとも排血口部に対応する領域に配置される上層吸収体とが積層された構造とされ、前記圧搾溝で挟まれた領域に形成されるスリットは前記上層吸収体に施され、それ以外のスリットは前記下層吸収体に施されている請求項１〜８いずれかに記載の吸収性物品。
【発明の詳細な説明】
【技術分野】
【０００１】
本発明は、主には生理用ナプキン、おりものシート、失禁パッド、医療用パッド、トイレタリー等に使用される吸収性物品に係り、身体の形状や動きに対するフィット性を向上した吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に粉砕パルプ等の紙綿からなる吸収体を介在したものが知られている。
【０００３】
この種の吸収性物品においては、装着時に身体の形状や動きに追従しないことで、ズレによる漏れが発生したり違和感を感じるなどの問題が生じていた。特に装着時に身体の形状や動きに追従しないことによるシワやヨレが発生しやすい場所としては、(1)脚圧がかかる脚周りや、(2)動きの激しい臀部に接する部分が挙げられ、さらには、(3)排血口部に接する部分では、長手方向に沿って形成された左右一対の圧搾溝で囲まれているため剛性が高く、身体に沿いにくい構造となっていた。
【０００４】
一方、装着時に身体の形状や動きに応じて変形しやすくし、ズレによる漏れや違和感を軽減させるようにした吸収性物品が数多く提案されている。例えば、下記特許文献１では、複数の吸収部が互いに離間して、基盤シートに固定部を介して接合され、前記複数の吸収部が互いに液体連通化しうる状態に配列された吸収体が開示されている。
【０００５】
また、下記特許文献２においては、第１吸収層が伸縮性ゾーンを具備し、各伸縮性ゾーンがスリットを規定する開口部の概ね直線状のパターンを規定し、概ね直線状の前記パターンが、長手方向軸に対して対称なＶ字型パターンである吸収性物品が開示されている。
【先行技術文献】
【特許文献】
【０００６】
【特許文献１】特開２０１０−２６８９１９号公報
【特許文献２】特表２００７−５２３６６５号公報
【発明の概要】
【発明が解決しようとする課題】
【０００７】
しかしながら、上記特許文献１記載の吸収体は、伸縮性のある基盤シートの上面に多数のそれぞれ独立した吸収部を自然状態において互いに対して所定の隙間を有するように縦横方向に配設することによって、過度に基盤シートの動きを拘束することなく変形性を確保するものであるが、例えば臀部の上下方向の丸みに沿って基盤シートを長手方向に湾曲変形させた状態では、さらに臀部の溝に沿って短手方向に変形させようとしても思うように変形せず、フィット性が低下する問題があった。また、上記特許文献２記載の吸収性物品では、吸収層にスリットを形成することによって吸収層の幅方向中央部を長手方向に沿って隆起させることによって、排血口部及び臀部に対するフィット性を向上させているが、脚周りに対するフィット性が考慮されていない。
【０００８】
このように、装着時にシワやヨレが発生しやすい上記３箇所（脚周り、臀部、排血口部）において、身体の形状や動きに対する追従性を確保することは、漏れ防止及び違和感の軽減という点から特に重要である。
【０００９】
そこで本発明の主たる課題は、身体の形状や動きに対するフィット性を向上した吸収性物品を提供することにある。
【課題を解決するための手段】
【００１０】
上記課題を解決するために請求項１に係る本発明として、透液性表面シートと裏面シートとの間に吸収体が介在されるとともに、少なくとも排血口部に対応する領域の両側部にほぼ長手方向に沿って左右一対の圧搾溝が形成された吸収性物品において、
前記吸収体は、前記圧搾溝より両側の領域及び前記圧搾溝より後側の領域においてそれぞれ、吸収性物品の長手方向及び幅方向とは異なる２方向以上の方向に沿って複数のスリットが形成されるとともに、前記圧搾溝で挟まれた領域において、吸収性物品の長手方向に沿って複数のスリットが形成されていることを特徴とする吸収性物品が提供される。
【００１１】
上記請求項１記載の発明では、(1)脚周り及び(2)臀部に対するフィット性を確保するため、吸収体の排血口部に対応する圧搾溝より両側の領域及び圧搾溝より後側の領域にそれぞれ、吸収性物品の長手方向及び幅方向とは異なる２方向以上の方向に沿って複数のスリットを形成している。前記スリットを設けることによって、吸収体の変形性が良好となり、常に脚圧がかかる脚周りや動きの激しい臀部に対してもフィット性が向上する。特に、前記スリットを吸収性物品の長手方向及び幅方向とは異なる２方向以上の方向に沿って形成しているため、例えば前記圧搾溝より両側の領域では、幅方向両側から幅方向中心側に向かう脚圧に対して、スリットにおいて吸収体同士がずれるように変形して脚圧を適度に逃がすため、吸収性物品に過度な圧力が作用せずシワやヨレが防止できるとともに、脚周りに対する違和感が解消される。更に、本発明では、(3)排血口部に対するフィット性を確保するため、前記圧搾溝で挟まれた領域に、吸収性物品の長手方向に沿って複数のスリットを形成している。これによって、圧搾溝で挟まれた領域の吸収体の剛性が低下して変形性が良好となり、両側からの脚圧によってこの領域の吸収体が肌側に隆起しやすくなり、排血口部に対するフィット性が向上する。
【００１２】
請求項２に係る本発明として、前記スリットは、スリット形成方向に沿ってスリット実線部と非スリット部とが交互に配置された破線状に形成されている請求項１記載の吸収性物品が提供される。
【００１３】
上記請求項２記載の発明では、前記スリットとして、スリット形成方向に沿ってスリット実線部と非スリット部とが交互に配置された破線状に形成したものとすることによって、吸収性物品の長手方向及び幅方向とは異なる２方向以上の方向に沿って複数のスリットを形成しても吸収体が分断することなく、吸収体の適度な変形性が確保できるようになる。
【００１４】
請求項３に係る本発明として、前記圧搾溝で挟まれた領域に形成されるスリットは、スリット形成方向に沿ってスリット実線部と非スリット部とが交互に配置された破線状に形成されるとともに、吸収性物品の幅方向中央部及びその両側に間隔を空けて左右対となる部分に形成され、
前記スリット実線部の長さは、幅方向中央部に形成されたスリットに対して、幅方向外側に形成されたスリットの方が相対的に漸次短くなるように形成されている請求項１、２いずれかに記載の吸収性物品が提供される。
【００１５】
請求項４に係る本発明として、前記圧搾溝で挟まれた領域に形成されるスリットは、スリット形成方向に沿ってスリット実線部と非スリット部とが交互に配置された破線状に形成されるとともに、吸収性物品の幅方向中央部及びその両側に間隔を空けて左右対となる部分に形成され、
前記非スリット部の長さは、幅方向中央部に形成されたスリットに対して、幅方向外側に形成されたスリットの方が相対的に漸次長くなるように形成されている請求項１〜３いずれかに記載の吸収性物品が提供される。
【００１６】
請求項５に係る本発明として、前記圧搾溝で挟まれた領域に形成されるスリットは、隣接するスリット間の間隔が吸収性物品の幅方向中央に向かうほど相対的に小さくなるように形成されている請求項１〜４いずれかに記載の吸収性物品が提供される。
【００１７】
上記請求項３〜５記載の発明は、圧搾溝で挟まれた領域に形成されるスリットのパターンを規定したものであり、排血口部の中央部に向かうほど相対的に剛性を低くし、隆起させやすくしたものである。
【００１８】
請求項６に係る本発明として、前記吸収体は、前記圧搾溝より前側の領域において、吸収性物品の長手方向及び幅方向とは異なる２方向以上の方向に沿って複数のスリットが形成されている請求項１〜５いずれかに記載の吸収性物品が提供される。
【００１９】
上記請求項６記載の発明では、吸収体の圧搾溝より前側の領域にも、吸収性物品の長手方向及び幅方向とは異なる２方向以上の方向に沿って複数のスリットを形成することによって、下腹部に相当する部分のフィット性を向上させている。
【００２０】
請求項７に係る本発明として、前記吸収体の長手方向端部において前記スリットが形成されない非形成領域が設けられている請求項１〜６いずれかに記載の吸収性物品が提供される。
【００２１】
上記請求項７記載の発明では、吸収性物品の長手方向端部の剛性を確保するため、スリットを形成しない非形成領域を設けるようにしている。
【００２２】
請求項８に係る本発明として、前記吸収体の上面及び／又は下面に親水性のセカンドシートが配設され、前記スリットは、前記吸収体及びセカンドシートに形成されている請求項１〜７いずれかに記載の吸収性物品が提供される。
【００２３】
上記請求項８記載の発明は、スリット加工の一例を示したもので、吸収体の上面及び／又は下面に親水性のセカンドシートを配設した場合、吸収体及びセカンドシートを積層した状態で、これら吸収体及びセカンドシートに同時にスリット加工を施すようにしている。これにより、吸収性物品がよりしなやかになり、変形性が良好となる。
【００２４】
請求項９に係る本発明として、前記吸収体は、下層吸収体と、少なくとも排血口部に対応する領域に配置される上層吸収体とが積層された構造とされ、前記圧搾溝で挟まれた領域に形成されるスリットは前記上層吸収体に施され、それ以外のスリットは前記下層吸収体に施されている請求項１〜８いずれかに記載の吸収性物品が提供される。
【００２５】
上記請求項９記載の発明では、吸収体を下層吸収体と上層吸収体の二層構造とした場合、圧搾溝で挟まれた領域に形成されるスリットは上層吸収体に施し、それ以外のスリットは下層吸収体に施すようにすることによって、各部に応じた変形性を確保するようにしている。
【発明の効果】
【００２６】
以上詳説のとおり本発明によれば、身体の形状や動きに対するフィット性が向上できるようになる。
【図面の簡単な説明】
【００２７】
【図１】本発明に係る生理用ナプキン１の一部破断展開図である。
【図２】そのII−II線矢視図である。
【図３】排血口部Ｈの拡大平面図である。
【図４】他の形態例に係る生理用ナプキン１の展開図である。
【図５】他の形態例に係る生理用ナプキン１の展開図である。
【図６】他の形態例に係る生理用ナプキン１の展開図である。
【発明を実施するための形態】
【００２８】
以下、本発明の実施の形態について図面を参照しながら詳述する。
【００２９】
《生理用ナプキン１の基本構造》
本発明に係る生理用ナプキン１は、図１及び図２に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、前記透液性表面シート３とクレープ紙５との間に介在された親水性不織布からなるセカンドシート６と、表面両側部にそれぞれ長手方向に沿って設けられるサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合されている。
【００３０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３１】
前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３２】
本生理用ナプキン１では、前記透液性表面シート３の上面側から各種の圧搾溝１０、１１、１２を付与することによって、体液の滞留を促進し吸収効率を高めることにより横漏れを防止している。前記圧搾溝としては、体液排出部Ｈの両側にそれぞれ、生理用ナプキン１の略長手方向に沿うとともに、ナプキン長手方向中心線ＣＬ側に曲率中心を有する弧状曲線によって形成される左右一対の圧搾溝１０と、この圧搾溝１０より前側に離間して、生理期間中の陰鬱な気分を紛らわせることなどを目的として、長手方向中心線ＣＬ上の位置から前側に向けて拡大するとともに、その前端部が内側に湾曲するハート形などの形状で形成される前側圧搾溝１１と、前記圧搾溝１０より後側に離間して、長手方向中心線ＣＬ上の位置から後側に向けて両側に漸次拡大する略逆Ｖ字状に形成されるとともに、その先端部が長手方向中心線ＣＬ側に湾曲する後側圧搾溝１２とから構成されている。
【００３３】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。吸収体４の製造方法は、柔軟性に富むように積繊パルプ、エアレイド吸収体とすることが好ましい。本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。吸収体４としてエアレイド吸収体を使用する場合には、吸収性能が優れるため、クレープ紙４を使用していなくてもよい。吸収体４には所定のパターンでスリットが形成されるが、これについては後段で詳述する。
【００３４】
前記透液性表面シート３とクレープ紙５との間に介在された親水性不織布からなるセカンドシート６は、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。親水性を付与するには、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えることができる。
【００３５】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによりウイング状フラップＷ、Ｗが形成されている。
【００３６】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにする。
【００３７】
《スリットについて》
本生理用ナプキン１では、吸収体４の変形性を確保することによって身体の形状や動きに対するフィット性を向上させるため、吸収体４の所定の領域に所定のパターンでスリット２０、２１が形成されている。具体的には、吸収体４の圧搾溝１０、１０より両側の領域Ｔ１、Ｔ１及び圧搾溝１０より後側の領域Ｔ２にそれぞれ、生理用ナプキン１の長手方向及び幅方向とは異なる２方向以上の方向に沿ってそれぞれ間隔を空けて複数のスリット２０、２０…が形成されるとともに、圧搾溝１０、１０で挟まれた領域Ｔ３に、生理用ナプキン１の長手方向に沿って幅方向に間隔を空けて複数のスリット２１、２１…か形成されている。前記スリット２０、２１とは、少なくとも吸収体４を表面側から裏面側にかけて貫通する実線状、破線状、点線状などの線状に形成された吸収体の破断部である。吸収体４に前記スリット２０、２１を形成するには、少なくとも１つが表面に多数のカッター歯を備えたローラ間に吸収体を通過させることなどによって形成することができる。
【００３８】
前記領域Ｔ１及びＴ２に形成したスリット２０は、それぞれ脚周り及び臀部に対するフィット性を確保するためのものである。前記スリット２０を設けることによって、このスリット部分で吸収体４が変形しやすくなるので、常に脚圧がかかる脚周りや、動きの激しい臀部に対するフィット性が向上するようになるとともに、装着時の違和感が解消される。特に、前記スリット２０を生理用ナプキン１の長手方向及び幅方向とは異なる２方向以上の方向に沿って形成してあるため、領域Ｔ１では、幅方向両側から幅方向中心側に向かう脚圧に対して、吸収体がスリット２０で変形して脚圧を適度に逃がすため、生理用ナプキン１に過度な圧力が作用せずシワやヨレが防止できるとともに、脚周りに対する違和感が解消される。また、領域Ｔ２においても、前記スリット２０が多方向に形成されるので、ナプキン長手方向に対しては臀部の前後方向の丸みに沿って変形しやすくなると同時に、ナプキン幅方向に対しても臀部の溝に沿って変形しやすくなり、生理用ナプキン１のシワやヨレが防止できるとともに、臀部周りに対する違和感が解消される。
【００３９】
更に、領域Ｔ３に形成したスリット２１は、排血口部に対するフィット性を確保するためのものである。前記スリット２１を設けることによって、この領域Ｔ３の吸収体の剛性が低下し、変形性が良好になり、両側からの脚圧によってこの領域Ｔ３の吸収体４が肌側に隆起しやすくなり、排血口部Ｈに対するフィット性が向上する。
【００４０】
前記スリット２０、２１は、スリット形成方向に沿ってスリット実線部と非スリット部とが交互に配置された破線状に形成することが好ましい。これにより、吸収体４を表面側から裏面側に貫通する複数のスリット２０…を形成しても吸収体４が分断されず、生理用ナプキン１の変形性を適度に確保することができるようになる。
【００４１】
スリット２０が生理用ナプキン１の長手方向及び幅方向とは異なる方向に沿って形成されるとは、概ね生理用ナプキン１の長手方向中心線ＣＬの方向及びこれに直交する方向の成分を含まないことであり、スリット２０が生理用ナプキン１の長手方向中心線ＣＬに対して±１０°以上の角度を有する方向に沿うとともに、前記長手方向中心線ＣＬに直交する線に対して±１０°以上の角度を有する方向に沿って形成されることをいう。すなわち、スリット２０が長手方向中心線ＣＬを基準として、＋１０°〜＋８０°の範囲と、−１０°〜−８０°の範囲の方向に沿って形成されている。
【００４２】
また、２方向以上の方向に形成するとき、長手方向中心線ＣＬを基準として、＋方向（例えば時計回り方向）の成分と−方向（例えば反時計回り方向）の成分を含むことが望ましい。これにより、吸収体４が各領域Ｔ１、Ｔ２においてスリット２０によって斜め格子状に区画され、外部からの圧力に対して個々の格子がスリット２０において滑るような変形を生じるため全体として吸収体４の変形性を高めることができるようになる。また、＋方向と−方向とは異なる角度で形成してもよいが、図１に示されるように同等の角度とした方が格子がきっちりと形成されるため好ましい。また、１つのスリット線は各領域Ｔ１、Ｔ２の全体に亘って形成されている。
【００４３】
前記スリット２０の格子間隔Ｓ１、Ｓ２は、異ならせても良いが、同等であることが好ましく、具体的には３mm〜３０mmであることが好ましい。また、スリット２０は、１つの格子に対して２つ以上、好ましくは２つ〜７つのスリット実線部が形成されるような破線状に形成することが好ましい。これによって、各格子部分の適度な変形性が確保できる。
【００４４】
一方、圧搾溝１０、１０で挟まれた領域Ｔ３に形成されるスリット２１は、詳細には図３に示されるように、生理用ナプキン１の幅方向中央部のスリット２１ａと、その両側に間隔を空けて左右対で形成される２対のスリット２１ｂ、２１ｂ及び２１ｃ、２１ｃとから構成されている。スリット２１ａの両側に形成される左右対のスリットは、１対以上であればよく、場合によってはなくても良い。
【００４５】
領域Ｔ３において、スリット実線部のナプキン長手方向の長さは、１mm以上、３０mm以下とすることが好ましい。また、この長さは各スリット２１ａ、２１ｂ、２１ｃで同等に形成する必要はなく、幅方向中央部に形成されたスリット２１ａに対して、幅方向外側に形成されたスリットの方が相対的に漸次短くなるように形成することが好ましい。図３においては、３０mm≧Ａ＞Ｂ＞Ｃ≧１mmの関係で形成されている。これにより、幅方向中央部ほど吸収体４の剛性が低くなり、両側からの脚圧によって幅方向中央部が隆起するように変形しやすくなる。
【００４６】
また、領域Ｔ３において、非スリット部のナプキン長手方向の長さは、１mm以上、３０mm以下とすることが好ましい。また、この長さも各スリット２１ａ、２１ｂ、２１ｃで同等に形成する必要はなく、幅方向中央部に形成されたスリット２１ａに対して、幅方向外側に形成されたスリットの方が相対的に漸次長くなるように形成することができる。図３においては、１mm≦ａ＜ｂ＜ｃ≦３０mmの関係で形成されている。これにより、幅方向中央ほど吸収体４の剛性が低くなり、両側からの脚圧によって幅方向中央部が隆起するように変形しやすくなる。
【００４７】
さらに、領域Ｔ３において、隣接するスリット２１、２１間の間隔は、生理用ナプキン１の幅方向中央に向かうほど小さくなるように形成することが好ましい。すなわち、図３においては、α＜βの関係で形成されている。これにより、幅方向中央ほど吸収体４の剛性が低くなり、両側からの脚圧によって幅方向中央部が隆起するように変形しやすくなる。
【００４８】
ところで、図４に示されるように、吸収体４のフィットエンボス１０より前側の領域Ｔ４に、生理用ナプキン１の長手方向及び幅方向とは異なる２方向以上の方向に沿って複数のスリット２０、２０…を形成することができる。これにより、下腹部に相当する部分においても吸収体４の変形性が確保でき、ナプキン全体の身体の形状や動きに対するフィット性が向上できる。
【００４９】
また、図５に示されるように、領域Ｔ２において、領域Ｔ２の前側寄りの幅方向中央部、好ましくは略逆Ｖ字状に形成される前記後側圧搾溝１２の基端部分からナプキン後側に向けて放射状に複数のスリット２２、２２…を形成することができる。前記スリット２２は、長手方向中心線ＣＬに沿う方向と、長手方向中心線ＣＬと所定の角度を有する方向に左右対で１対以上、図示例では２対の方向とにそれぞれ放射状に形成されている。これによって、領域Ｔ２において、吸収体４の幅方向中央部が肌側に隆起するように変形しやすくなり、臀部の溝に沿ってよりフィットしやすくなる。
【００５０】
一方、図６に示されるように、吸収体４の長手方向端部においては、スリット２０が形成されない非形成領域２３を設けることが好ましい。この非形成領域２３を設けることによって、製品端部の剛性を確保することができ、端部のめくれが防止できるようになる。なお、領域Ｔ４にもスリット２０が形成される場合には、後側及び前側の各端部に非形成領域２３を設けるようにする。
【００５１】
前記スリット２０は、スリット幅を大きくすることによって吸収体４の変形性を向上させることができるようになるが、あまり大きくし過ぎると吸収体４の形状安定性が悪化するとともに、体液の吸収性が低下するおそれがあるので、好ましくは３mm以下とするのが良い。これによって、吸収体４の剛性が適度に低下するので、身体に対するフィット性が良好となる。
【００５２】
ところで、上述のスリット２０、２１、２２は、吸収体４（クレープ紙５を含む）単独に施しても良いが、本例のように吸収体４の上面にセカンドシート６を介在させた場合、又は不透液性裏面シート２とクレープ紙５との間（吸収体４の下面）にセカンドシート６を介在させた場合あるいは吸収体４の上下両面にセカンドシート６を介在させた場合には、吸収体４及びセカンドシート６を積層した状態で、これら吸収体４及びセカンドシート６に対して同時にスリット２０、２１、２２を施すことが好ましい。これによって、生理用ナプキン１がよりしなやかとなり、良好な変形性を確保することができる。
【００５３】
次いで、吸収体４が、下層吸収体と、少なくとも排血口部に対応する領域に配置される上層吸収体とが積層された構造とされる場合、領域Ｔ３に形成されるスリット２１は、上層吸収体に施すことが好ましく、領域Ｔ１及びＴ２に形成されるスリット２０は、下層吸収体に施すことが好ましい。これによって、領域Ｔ３においては、上層吸収体が肌側に隆起するように変形しやすくなり、排血口部へのフィット性が向上するとともに、領域Ｔ１、Ｔ２においては、下層吸収体の変形性が向上し、それぞれ脚周り及び臀部へのフィット性が向上できる。
【００５４】
〔他の形態例〕
前記スリット２０は、図示例では、領域Ｔ１とＴ２で連続的なパターンで形成しているが、これらの領域の境界で分断するように独立的なパターンで形成してもよい。また、領域Ｔ１とＴ２でスリット２０のパターンを異ならせても良い。例えば、領域Ｔ１では、両側からの脚圧を確実に受け止めるように、スリット２０の間隔を相対的に大きくして大きな格子パターンとし、一方領域Ｔ２では、臀部の溝に入り込ませるために、スリット２０の間隔を相対的に小さくして小さな格子パターンとして吸収体の変形性を大きくすることができる。
【符号の説明】
【００５５】
１…生理用ナプキン、２…不透液性裏面シート、３…透液性表面シート、４…吸収体、５…クレープ紙、６…セカンドシート、７…サイド不織布、１０…圧搾溝、１１…前側圧搾溝、１２…後側圧搾溝、２０・２１・２２…スリット、２３…非形成領域
【図１】
0005944673.tif 000002
【図２】
0005944673.tif 000003
【図３】
0005944673.tif 000004
【図４】
0005944673.tif 000005
【図５】
0005944673.tif 000006
【図６】
0005944673.tif 000007